(57)【要約】【課題】本発明の課題は、端末側のハンドオーバ制御処理量の低減を図りつつ、同種・異種無線システム間のハンドオーバをシームレスに実現できるハンドオーバ制御システムを提供することである。【解決手段】上記課題は、移動端末と、ハンドオーバ制御装置からなるハンドオーバ制御システムにおいて、前記移動端末は、各無線アクセス局からの下り信号を受信し、受信した下り信号の受信品質に基づいて、移動先となる無線アクセス局を収容する無線システムを決定する移動先無線システム決定手段と、前記決定された無線システムを示す情報を前記ハンドオーバ制御装置に通知する移動先無線システム通知手段とを備え、前記ハンドオーバ制御装置は、前記移動先無線システム通知手段より通知された無線システムを示す情報に基づき前記移動端末に対するハンドオーバ動作を制御するハンドオーバ制御手段を備えることを特徴とするハンドオーバ制御システムにて解決される。【選択図】  図１
2004260444.tif 000002
【特許請求の範囲】
【請求項１】
無線アクセス局を有する複数の無線システムとの通信が可能な移動端末と、複数種の無線システム内を移動する該移動端末のためのハンドオーバ制御を実行するハンドオーバ制御装置からなるハンドオーバ制御システムにおいて、
前記移動端末は、各無線アクセス局からの下り信号を受信し、受信した下り信号の受信品質に基づいて、移動先となる無線アクセス局を収容する無線システムを決定する移動先無線システム決定手段と、
前記決定された無線システムを示す情報を前記ハンドオーバ制御装置に通知する移動先無線システム通知手段とを備え、
前記ハンドオーバ制御装置は、前記移動先無線システム通知手段より通知された無線システムを示す情報に基づき前記移動端末に対するハンドオーバ動作を制御するハンドオーバ制御手段を備えることを特徴とするハンドオーバ制御システム。
【請求項２】
請求項１記載のハンドオーバ制御システムにおいて、
前記ハンドオーバ制御装置は、各無線アクセス局と接続されるアクセスルータを介して接続され、
前記ハンドオーバ制御手段は、
前記各無線アクセス局と前記アクセスルータとの対応関係を管理するデータベースと、
前記移動先となる無線アクセス局を収容する無線システムを示す情報が通知された際に、前記データベースを参照して、移動先となる無線アクセス局と接続するアクセスルータが、現在接続中の無線アクセス局と接続するアクセスルータと異なるかどうかを判断するルータ跨り判断手段と、
前記判断で異なると判断された場合に、移動先となる無線アクセス局を収容する無線システムに基づくハンドオーバ方式を決定するハンドオーバ方式決定手段と、
前記決定したハンドオーバ方式にしたがってハンドオーバ処理を実行するハンドオーバ処理実行手段とを備えることを特徴とするハンドオーバ制御システム。
【請求項３】
請求項１記載のハンドオーバ制御システムにおいて、
前記移動端末は、各無線アクセス局からの下り信号の受信電力特性から移動端末の移動速度を推定する移動速度推定手段と、
前記推定された移動端末の移動速度を示す情報を前記ハンドオーバ制御装置に通知する移動速度情報通知手段とを備えることを特徴とするハンドオーバ制御システム。
【請求項４】
請求項２又は３記載のハンドオーバ制御システムにおいて、
前記ハンドオーバ方式決定手段は、移動先となる無線アクセス局を収容する無線システムに基づいて、ハードハンドオーバ方式、ソフトハンドオーバ方式、ＩＰパケットバッファリング方式のいずれをハンドオーバ方式として決定することを特徴とするハンドオーバ制御システム。
【請求項５】
請求項４記載のハンドオーバ制御システムにおいて、
前記ハンドオーバ方式決定手段は、前記移動速度情報通知手段により通知される移動端末の移動速度の情報に基づいて、該移動端末のハンドオーバを高速ハンドオーバ方式で実行するかどうかを判断する高速ハンドオーバ方式選択手段と、
前記判断結果を前記ハンドオーバ処理実行手段に通知する高速ハンドオーバ方式選択通知手段とをさらに備え、
前記ハンドオーバ処理実行手段は、前記通知された判断結果に応じて高速ハンドオーバ方式を実行する高速ハンドオーバ方式実行手段を備えることを特徴とするハンドオーバ制御システム。
【請求項６】
請求項１記載のハンドオーバ制御システムにおいて、
前記高速ハンドオーバ方式選択手段で選択される高速ハンドオーバ方式は、無線アクセス局と移動端末間でなされる無線リンクのシグナリング手順を簡略化したものであることを特徴とするハンドオーバ制御システム。
【請求項７】
複数種の無線システム内を移動する移動端末のためのハンドオーバ制御を実行するハンドオーバ制御装置において、
前記移動端末より通知される無線システムを示す情報に基づき前記移動端末に対するハンドオーバ動作を制御するハンドオーバ制御手段を備えることを特徴とするハンドオーバ制御装置。
【請求項８】
請求項７記載のハンドオーバ制御装置において、
前記無線システム内の各無線アクセス局と接続されるアクセスルータを介して接続され、
前記ハンドオーバ制御手段は、
前記各無線アクセス局と前記アクセスルータとの対応関係を管理するデータベースと、
前記移動先となる無線アクセス局を収容する無線システムを示す情報が通知された際に、前記データベースを参照して、移動先となる無線アクセス局と接続するアクセスルータが、現在接続中の無線アクセス局と接続するアクセスルータと異なるかどうかを判断するルータ跨り判断手段と、
前記判断で異なると判断された場合に、移動先となる無線アクセス局を収容する無線システムに基づくハンドオーバ方式を決定するハンドオーバ方式決定手段と、
前記決定したハンドオーバ方式にしたがってハンドオーバ処理を実行するハンドオーバ処理実行手段とを有するハンドオーバ制御装置。
【請求項９】
請求項８記載のハンドオーバ制御装置において、
前記ハンドオーバ方式決定手段は、移動先となる無線アクセス局を収容する無線システムに基づいて、ハードハンドオーバ方式、ソフトハンドオーバ方式、ＩＰパケットバッファリング方式のいずれをハンドオーバ方式として決定することを特徴とするハンドオーバ制御装置。
【請求項１０】
請求８又は９記載のハンドオーバ制御装置において、
前記ハンドオーバ方式決定手段は、前記移動速度情報通知手段により通知される移動端末の移動速度の情報に基づいて、該移動端末のハンドオーバを高速ハンドオーバ方式で実行するかどうかを判断する高速ハンドオーバ方式選択手段と、
前記判断結果を前記ハンドオーバ処理実行手段に通知する高速ハンドオーバ方式選択通知手段とをさらに備え、
前記ハンドオーバ処理実行手段は、前記通知された判断結果に応じて高速ハンドオーバ方式を実行する高速ハンドオーバ方式実行手段を備えることを特徴とするハンドオーバ制御システム。
とするハンドオーバ制御装置。
【請求項１１】
無線アクセス局を有する複数の無線システムとの通信が可能で、複数種の無線システムにハンドオーバ可能な移動端末において、
前記各無線アクセス局からの下り信号を受信し、受信した下り信号の受信品質に基づいて、移動先となる無線アクセス局を収容する無線システムを決定する移動先無線システム決定手段と、
前記決定された無線システムを示す情報を前記ネットワーク装置に通知する移動先無線システム通知手段とを備えることを特徴とする移動端末。
【請求項１２】
請求項１１記載の移動端末において、
前記各無線アクセス局からの下り信号の受信電力特性から移動端末の移動速度を推定する移動速度推定手段と、
前記推定された移動端末の移動速度を示す情報を複数種の無線システム内を移動する移動端末のためのハンドオーバ制御を実行するハンドオーバ制御装置に通知する移動速度情報通知手段とを備えることを特徴とする移動端末。
【請求項１３】
請求項１１記載の移動端末において、
前記移動先無線システム決定手段で決定される無線システムは、同種又は異種無線システムであることを特徴とする移動端末。
【請求項１４】
無線アクセス局を有する複数の無線システムとの通信が可能な移動端末と、複数種の無線システム内を移動する該移動端末のためのハンドオーバ制御を実行するハンドオーバ制御装置からなるハンドオーバ制御システムにおけるハンドオーバ制御方法において、
前記移動端末は、各無線アクセス局からの下り信号を受信し、受信した下り信号の受信品質に基づいて、移動先となる無線アクセス局を収容する無線システムを決定し、
前記決定された無線システムを示す情報を前記ハンドオーバ制御装置に通知し、
前記ハンドオーバ制御装置は、前記通知された無線システムを示す情報に基づき前記移動端末に対するハンドオーバ動作を制御することを特徴とするハンドオーバ制御方法。
【発明の詳細な説明】
【０００１】
【発明の属する技術分野】
本発明は、ハンドオーバ制御システム及びその方法並びに移動端末、ハンドオーバ制御装置に係り、詳しくは、同一又は異種無線システム間のハンドオーバ制御をネットワーク側で行なうことで移動端末の処理負荷を軽減することができるハンドオーバ制御システム及びその方法に関する。
【０００２】
また、本発明は、そのようなハンドオーバ制御システムで用いられる移動端末及びハンドオーバ制御装置に関する。
【０００３】
【従来の技術】
近年、急速に普及しインターネットへの接続手段としても注目を浴びているものに無線ＬＡＮがある。
【０００４】
無線ＬＡＮでは、移動により接続するアクセスポイントが変わった場合に、ＩＰアドレスも変わってしまい、ストリーミングなど断続的にデータが流れる場合に問題が生じる。そこで、この問題を解決する方法として「モバイルＩＰ」が提案されている。モバイルＩＰでは、ホームアドレスとエージェントアドレスを持つことにより、接続するアクセスポイントが変わっても接続性を保つことが可能となっている。
【０００５】
また、無線ＬＡＮは、携帯電話などと比較してデータの伝送速度は速いが、携帯電話と同じ使い勝手を実現するには、移動中でもデータ通信がとぎれず安定して利用できるハンドオーバの問題を解決しなければならない。この問題に対して、モバイルＩＰに基づく階層化モバイルＩＰ（ＨＭＩＰ：Ｈｉｅｒａｒｃｈｉｃａｌ  ＭＩＰ）が提案されている。このＨＭＩＰは、位置登録のたびにホーム・エージェントへの登録を行なわないのでハンドオーバの高速化が可能である。具体的には、フォーリン・ネットワーク内にホーム・エージェントと似たような機能を持つＭｏｂｉｌｉｔｙ  Ａｎｃｈｏｒ  Ｐｏｉｎｔ（ＭＡＰ）と呼ばれるサーバを設置し、そのサーバに位置情報を登録することで、ハンドオーバの高速化を実現している。
【０００６】
【非特許文献１】
Ｈｅｓｈａｍ  Ｓｏｌｉｍａｎ，Ｃｌａｕｄｅ  Ｃａｓｔｅｌｌｕｃｃｉａ，Ｋａｒｉｍ  Ｅｌ−Ｍａｌｋｉ，Ｌｕｄｏｖｉｃ  Ｂｅｌｌｉｅｒ著，「Ｈｉｅｒａｒｃｈｉｃａｌ  ＭＩＰｖ６  ｍｏｂｉｌｉｔｙ  ｍａｎａｇｅｍｅｎｔ」，インターネットドラフト，ｄｒａｆｔ−ｉｅｔｆ−ｍｏｂｉｌｅｉｐ−ｈｍｉｐｖ６−０３．ｔｘｔ，２００１年
【０００７】
【発明が解決しようとする課題】
しかしながら、上述したＨＭＩＰに見られるように、無線ＬＡＮ等を使ったハンドオーバにおいては、端末自ら、ネットワークの経路指定をする必要がある。ＩＰ（インターネットプロトコル）を中心とするネットワーク（いわゆるＩＰネットワーク）は階層化され、各ルータより自身の階層番号とＩＰアドレスが、端末に報知情報として通知される。端末側では、その報知情報を使って自ら最適な経路（冗長経路を発生させない）の決定が行なわれる。
【０００８】
さて、現在の携帯電話に続く次世代の移動通信システムは、携帯電話や無線ＬＡＮをはじめとする多種多様な無線システムがＩＰネットワークを介して相互に接続されていくものと考えられている。例えば、このような多種多様な無線システムを共通のＩＰネットワークに収容した場合、ユーザの位置や好み、通信内容などに応じて多種多様な無線システム間をシームレス接続するためのハンドオーバ技術の開発が極めて重要となってくる。
【０００９】
また、端末側では、ソフトウェアを書き換えることにより、各種無線方式、プロトコルに対応できるソフトウェア無線機の検討が進められているが、これらの高機能化を実現するためには、端末側での処理量は増大すると考えられる。よって、ソフトウェア無線機に上述したモバイルＩＰのＨＭＩＰをそのまま実装すれば、さらに、端末での処理量が増加してしまい、小型化することが難しくなるといった問題が生じる。
【００１０】
本発明は、上記のような問題点に鑑みてなされたもので、その課題とするところは、共通のネットワークに複数の無線システムを収容する場合において、端末側のハンドオーバ制御処理量の低減を図りつつ、同種・異種無線システム間のハンドオーバをシームレスに実現することのできるハンドオーバ制御システム及びその方法を提供することである。
【００１１】
また、そのようなハンドオーバ制御システムで用いられる移動端末、ハンドオーバ制御装置を提供することである。
【００１２】
【課題を解決するための手段】
上記課題を解決するため、本発明は、請求項１に記載されるように、無線アクセス局を有する複数の無線システムとの通信が可能な移動端末と、複数種の無線システム内を移動する該移動端末のためのハンドオーバ制御を実行するハンドオーバ制御装置からなるハンドオーバ制御システムにおいて、前記移動端末は、各無線アクセス局からの下り信号を受信し、受信した下り信号の受信品質に基づいて、移動先となる無線アクセス局を収容する無線システムを決定する移動先無線システム決定手段と、前記決定された無線システムを示す情報を前記ハンドオーバ制御装置に通知する移動先無線システム通知手段とを備え、前記ハンドオーバ制御装置は、前記移動先無線システム通知手段より通知された無線システムを示す情報に基づき前記移動端末に対するハンドオーバ動作を制御するハンドオーバ制御手段を備えることを特徴としている。
【００１３】
また、本発明の請求項２は、前記ハンドオーバ制御システムにおいて、前記ハンドオーバ制御装置は、各無線アクセス局と接続されるアクセスルータを介して接続され、前記ハンドオーバ制御手段は、前記各無線アクセス局と前記アクセスルータとの対応関係を管理するデータベースと、前記移動先となる無線アクセス局を収容する無線システムを示す情報が通知された際に、前記データベースを参照して、移動先となる無線アクセス局と接続するアクセスルータが、現在接続中の無線アクセス局と接続するアクセスルータと異なるかどうかを判断するルータ跨り判断手段と、前記判断で異なると判断された場合に、移動先となる無線アクセス局を収容する無線システムに基づくハンドオーバ方式を決定するハンドオーバ方式決定手段と、前記決定したハンドオーバ方式にしたがってハンドオーバ処理を実行するハンドオーバ処理実行手段とを備えることを特徴としている。
【００１４】
また、本発明の請求項３は、前記ハンドオーバ制御システムにおいて、前記移動端末は、各無線アクセス局からの下り信号の受信電力特性から移動端末の移動速度を推定する移動速度推定手段と、前記推定された移動端末の移動速度を示す情報を前記ハンドオーバ制御装置に通知する移動速度情報通知手段とを備えることを特徴としている。
【００１５】
また、本発明の請求項４は、前記ハンドオーバ制御システムにおいて、前記ハンドオーバ方式決定手段は、移動先となる無線アクセス局を収容する無線システムに基づいて、ハードハンドオーバ方式、ソフトハンドオーバ方式、ＩＰパケットバッファリング方式のいずれをハンドオーバ方式として決定することを特徴としている。
【００１６】
また、本発明の請求項５は、前記ハンドオーバ制御システムにおいて、前記ハンドオーバ方式決定手段は、前記移動速度情報通知手段により通知される移動端末の移動速度の情報に基づいて、該移動端末のハンドオーバを高速ハンドオーバ方式で実行するかどうかを判断する高速ハンドオーバ方式選択手段と、  前記判断結果を前記ハンドオーバ処理実行手段に通知する高速ハンドオーバ方式選択通知手段とをさらに備え、前記ハンドオーバ処理実行手段は、前記通知された判断結果に応じて高速ハンドオーバ方式を実行する高速ハンドオーバ方式実行手段を備えることを特徴としている。
【００１７】
また、本発明の請求項６は、前記ハンドオーバ制御システムにおいて、前記高速ハンドオーバ方式選択手段で選択される高速ハンドオーバ方式は、無線アクセス局と移動端末間でなされる無線リンクのシグナリング手順を簡略化したものであることを特徴としている。
【００１８】
上記本発明によれば、ネットワーク側のハンドオーバ制御装置が、移動端末から通知される無線システムの種別情報を基に移動端末の要求を満たすハンドオーバ方式を選択するので、移動端末側でハンドオーバ方式を選択しなくても済むようになり、移動端末側でのハンドオーバ制御処理を低減することができる。これにより、移動端末がソフトウェア無線機のように複数の無線システムとの通信が可能となった場合でも装置の簡素化を図ることが可能である。
【００１９】
【発明の実施の形態】
以下、本発明の実施の形態を図面に基づいて説明する。
【００２０】
図１は、本発明の実施の一形態に係るハンドオーバ制御システムの構成図である。
【００２１】
図１において、このハンドオーバ制御システム１００は、ＩＭＴ−２０００標準規格に準拠したＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）方式と無線ＬＡＮ方式の両通信方式に対応したＷＣＤＭＡ／無線ＬＡＮ複合無線通信端末（以下、移動端末と略記）１０と、ＷＣＤＭＡ用のアクセスポイント（例：無線基地局）２０と、無線ＬＡＮ用のアクセスポイント３０と、ＩＰネットワーク４０から構成され、移動端末１０は、ＩＰネットワーク４０を通じてインターネット５０への接続が可能となっている。
【００２２】
図２は、図１に示すＩＰネットワーク４０の構成図である。
【００２３】
同図において、このＩＰネットワーク４０には、無線ＬＡＮ用のアクセスポイント３０とＷＣＤＭＡ用のアクセスポイント４０と接続するアクセスルータ４１〜４５と、ハンドオーバ方式選択部４６と、ハンドオーバ方式実行部４７と、アクセスルータとアクセスポイントの対応関係を管理するデータベース（ＡＰ−ＡＲ管理データベース）４８とから構成される。
【００２４】
ハンドオーバ方式選択部４６は、移動端末１０から通知される情報に基づき上記データベース４８を参照し、最適なハンドオーバ方式を選択してハンドオーバ方式実行部４７に通知する。ハンドオーバ方式実行部４７は、ハンドオーバ方式選択部４６から通知されたハンドオーバ方式にしたがってハンドオーバ処理を実行する。具体的な処理手順については、後述する。
【００２５】
図３は、図１に示す移動端末１０の構成図である。
【００２６】
同図において、この移動端末１０は、ＷＣＤＭＡ方式の無線信号と無線ＬＡＮ方式の無線信号を受信するアンテナ１１と、各方式に応じてフィルタを切換え無線信号からＩＦ信号へと変換するマルチバンドＲＦ／ＩＦ部１２と、アナログＩＦ信号とデジタルＩＦ信号間の変換処理を行なうＡＤＣ（アナログ・デジタルコンバータ）・ＤＡＣ（デジタル・アナログコンバータ）１３と、デジタルＩＦ信号をベースバンド信号に変換し、各方式に応じた信号処理（例：逆拡散処理、変復調処理など）を行なう信号処理部１４と、信号処理部１４からの出力を外部のイーサネット（登録商標）などに出力するためのインターフェース機能を備えた外部Ｉ／Ｆ部１６と、システム全体の制御を司り、マルチバンドＲＦ／ＩＦ部１２から出力される受信入力信号から移動先となる無線システムの決定を行ない、決定結果をＩＰネットワーク側に通知するＣＰＵ１５と、各無線方式に従って無線接続を行うための信プロトコルなどが収納されているネットワークインターフェースカード（ＮＩＣ：  Ｎｅｔｗｏｒｋ  Ｉｎｔｅｒｆａｃｅ  ｃａｒｄ）１７、１８から構成される。
【００２７】
上記移動端末１０は、例えば、ソフトウェア無線機で構成され、上記マルチバンドＲＦ／ＩＦ部１２、ＡＤＣ・ＤＡＣ１３、信号処理部１４にＮＩＣ１７、１８に格納されている通信方式のソフトウェアをダウンロードすることで、各方式の端末装置として動作することが可能である。本例では、無線ＬＡＮ方式とＷＣＤＭＡ方式のソフトウェアがＮＩＣに格納されているものとする。なお、１枚のＮＩＣ１７に両方式のソフトウェアが格納されていてもよいし、無線方式毎にＮＩＣが用意されていてもよい。本実施例では、無線方式毎にＮＩＣが用意されているものとし、無線ＬＡＮ用のＮＩＣ１７、ＷＣＤＭＡ用のＮＩＣ１８が移動端末１０に実装されているものとする。
【００２８】
なお、上記例は、ＮＩＣとアンテナ１１が別に構成されている例であるが、ＮＩＣにアンテナが含まれる場合もある。その場合、そのアンテナは上記アンテナ１１の機能を担う。
【００２９】
以上のように構成された、ハンドオーバ制御システムのハンドオーバ動作について、図４〜図６を用いて説明する。
【００３０】
図４は、本実施形態のハンドオーバ制御システムのハンドオーバ動作を説明するための通信状況を説明するための図である。
【００３１】
図５及び図６は、本実施形態のハンドオーバ制御システムのハンドオーバ動作を示すシーケンス図である。
【００３２】
図４において、この例では、移動端末１０が無線ＬＡＮ方式のアクセスポイントＡＰＬＡＮ３０が形成する無線ゾーンとＷＣＤＭＡ方式のアクセスポイントＡＰＷＣＤＭＡ２０が形成する無線ゾーンの境界付近に位置し、上記移動端末１０が無線ＬＡＮ方式の無線システムからＷＣＤＭＡ方式の無線システムにハンドオーバしようとしている場合を想定する。
【００３３】
また、無線ＬＡＮ用のアクセスポイントＡＰＬＡＮ３０に最も近接しているアクセスルータをＡＲＡ１０１、ＷＣＤＭＡ用のＡＰＷＣＤＭＡ２０に最も近接しているアクセスルータをＡＲＢ１０２とし、このＡＲＡ１０１とＡＲＢ１０２には、ルータＲＡ１０３とハンドオーバ方式選択部４６とハンドオーバ方式実行部４７が接続されて経路形成されている。また、移動端末１０に対してパケットを送信する送信側の移動端末７０は、現在通信中のアクセスポイントＡＰｔｘ６０と無線通信を行ない、ＡＰｔｘ６０で受信されたパケットは、近接のＲＢ１０４を経由して転送される。
【００３４】
次に、図５、図６を参照して本実施形態のハンドオーバ制御システムのハンドオーバ動作を詳述する。
【００３５】
送信側の移動端末７０から送信されたユーザパケットは、無線システムのＡＰｔｘ６０で受信された後、ＲＢ１０４、ＲＡ１０３、ＡＲＡ１０１、ＡＰＬＡＮ３０の順で順次転送され、ＡＰＬＡＮ３０でユーザパケットが無線信号に変換されて移動端末１０に送られる（Ｓ１）。上記ユーザパケットを伝送する無線信号は、移動端末１０のマルチバンドＲＦ／ＩＦ部１２に入力されて受信入力値の測定が行われる。この測定値は、Ｗ−ＬＡＮ用ＮＩＣ１７で所定の信号フォーマットに変換された後、ＣＰＵ１５へと送られる。また、このとき、移動端末１０では、ＷＣＤＭＡ用のアクセスポイントＡＰＷＣＤＭＡ２０が形成する無線ゾーンの境界付近に存在するため、上記ＡＰＷＣＤＭＡ２０から送信されている無線信号も受信される。よって、上記同様、ＡＰＷＣＤＭＡ２０から送信された無線信号の受信入力の測定結果もＣＰＵ１５に送られる（Ｓ３）。
【００３６】
移動端末１０のＣＰＵ１５は、ＡＰＬＡＮ３０とＡＰＷＣＤＭＡ２０からの受信入力値を比較し、受信入力値の高い無線システムを移動先の無線システムとして決定する。ここでは、移動先無線システムとしてＷＣＤＭＡ方式の無線システムが決定されたものとする。また、このとき、ＣＰＵ１５は、ＡＰＬＡＮ３０とＡＰＷＣＤＭＡ２０の各受信入力の変動を検出し、その検出した変動量から移動端末１０の移動速度を推定する。例えば、受信電力の分布からドップラ周波数を求め、それを移動端末の移動速度としてみなす（Ｓ４）。
【００３７】
ＣＰＵ１５は、上記のようにして移動先の無線システムとしてＷＣＤＭＡ方式の無線システムを決定し、かつ移動速度の推定が完了すると、ＷＣＤＭＡ方式での無線通信を開始させるためのトリガとなる起動命令をＷＣＤＭＡ用のＮＩＣ１７に対して出力（Ｓ５）する。ＷＣＤＭＡ用ＮＩＣ１８は、この起動命令を受けると、ＷＣＤＭＡ方式で無線信号を受信するための各種パラメータ（変調パラメータなど）が記述されたソフトウェアを信号処理部１４、ＡＤＣ・ＤＡＣ１３、マルチバンドＲＦ／ＩＦ部１２に出力して設定させ、ＡＰＷＣＤＭＡ２０から定期的に報知されている報知情報を受信できるようにする。この報知情報は、マルチバンドＲＦ／ＩＦ部１２、ＡＤＣ／ＤＡＣ１３、信号処理部１４を介してＣＰＵ１５で受け取られ（Ｓ６）、ＣＰＵ１５は、この報知情報の中に含まれているアクセスルータのアドレス情報に従い、移動先のアクセスポイント（以下、移動先ＡＰと略記）を決定（Ｓ７）する（この場合、ＡＲＢ１０２に決定される）。
【００３８】
ＣＰＵ１５は、このようにして決定した移動先ＡＰの情報（▲１▼）と、先に推定した移動端末１０の移動速度情報（▲２▼）及び、先に決定した無線システムの情報（無線システム種別情報（▲３▼）という）を信号処理部１４に出力する。信号処理部１４に入力された上記▲１▼、▲２▼、▲３▼の情報は、変調処理等が施された後、ＡＤＣ・ＤＡＣ１３のＤＡＣ部分でアナログ信号に変換され、マルチバンドＲＦ／ＩＦ部１２で無線信号に変換されてＡＰＷＣＤＭＡ２０に送信される。その後、ＡＰＷＣＤＭＡ２０より、ＩＰネットワーク４０内のＡＲＢ１０２を通じてハンドオーバ方式選択部４６へと送られる（Ｓ８）。
【００３９】
ハンドオーバ方式選択部４６は、上記▲１▼、▲２▼、▲３▼の情報、すなわち移動先ＡＰの情報と、移動端末１０の速度情報及び無線システム種別情報を受け取ると、アクセスルータとアクセスポイントの対応関係を管理するＡＰ−ＡＲ管理データベース４８にアクセスし、移動先のアクセスポイントに近接しているアクセスルータと移動前のアクセスポイントに近接しているアクセスルータが異なるかどうかを判断（本例では、この判断を“アクセスルータの跨り判断”と呼ぶ）する（Ｓ９）。
【００４０】
具体的には、以下のようにしてアクセスルータの跨りを判断する。図７は、上記ＡＰ−ＡＲ管理データベース４８の構造例を示す図である。このＡＰ−ＡＲ管理データベース４８は、ユーザ毎のアクセスポイントとアクセスルータの対応関係を登録・照会するためのデータベースであって、例えば、データベース・サーバである。
【００４１】
同図において、このＡＰ−ＡＲ管理データベース４８は、ユーザ毎のアクセスポイントアドレス（ＡＰアドレス）、アクセスルータアドレス（ＡＲアドレス）、要求ＱｏＳクラスに対応する無線ＱｏＳパラメータ、無線システム種別、無線品質状態を管理する。
【００４２】
ここでは、移動端末１０のユーザＡが現在、ＡＰＬＡＮ３０と無線通信を行っており、ＡＲ１０１を介してユーザパケットを転送していると想定する。したがって、ＡＰ−ＡＲ管理データベース４８には、ユーザＡに対するＡＰアドレスとして、ＡＰＬＡＮ３０のアドレスが、ＡＲのアドレスとして、ＡＲＡ１０１のアドレスが登録されている。
【００４３】
ハンドオーバ方式選択部４６は、ユーザＡの移動端末１０から無線システム種別情報及び移動先ＡＰとしてＡＰＷＣＤＭＡ２０の通知を受けると、ＡＰ−ＡＲ管理データベース４８を参照して、移動先アクセスポイントであるＡＰＷＣＤＭＡ２０のＡＰアドレスに対応するＡＲアドレスを検索する。この例では、ＡＰＷＣＤＭＡ２０のＡＰアドレスに対応するＡＲアドレスは、ＡＲＢ１０２ということが同データベースから分る。ちなみに、このＡＲＢ１０２は、あるユーザｘの移動端末からのユーザパケット転送に用いられている。
【００４４】
ハンドオーバ方式選択部４６は、上記のようにして移動先アクセスルータのアドレスが分ると、この移動先のアクセスルータが移動前のアクセルータを跨るかどうかを判断する。
【００４５】
このアクセルータ跨りの判断方法には、例えば、以下の二つの方法がある。
【００４６】
（方法１）
方法１は、異種無線システム間のハンドオーバに対応する方法で、無線システム種別情報に基づいてアクセスルータの跨りを判断する。例えば、上記例の場合、ＡＲＡ１０１とＡＲＢ１０２の無線システム種別情報を比較し、異なっていればアクセスルータ跨りと判断する。
【００４７】
（方法２）
上記方法２は、同種無線システム間のハンドオーバに対する方法で、アクセスルータ毎にプレフィックスを設け、そのプレフィックスが異なることでアクセスルータの跨りを判断する方法である。
ハンドオーバ方式選択部４６は、上記のようにしてアクセスルータの跨り判断を終えた後、移動端末１０に対してＷＣＤＭＡの無線リンク設定要求を送信（Ｓ１０）する。その後、ＡＰＷＣＤＭＡ２０と移動端末１０間で所定の無線リンク設定処理が実行（Ｓ１１）され、この設定処理が完了すると無線リンク設定完了通知が上記移動端末１０から上記ハンドオーバ方式選択部４６に送られる。
【００４８】
ハンドオーバ方式選択部４６は、移動端末１０から無線リンク設定完了通知を受けると（Ｓ１２）、移動先無線システムの無線特性に基づくハンドオーバ方式を決定（Ｓ１３）する。具体的には、移動端末１０から送られてきた無線システム種別情報により、ネットワーク方式を選択（ハンドオーバアルゴリズムの決定）し、次いで、移動端末の移動速度の情報に基づく高速ハンドオーバを行なうか否かの判断がなされる。
【００４９】
（ハンドオーバ方式の選択）
ハンドオーバ方式選択部４６は、下記の基準に従い移動先無線システムに基づくハンドオーバアルゴリズムを選択する。
【００５０】
（ハンドオーバ方式の選択基準）
▲１▼．ＷＣＤＭＡの場合  →  ソフトハンドオーバ方式
▲２▼．ＷＣＤＭＡ拡張方式の＊ＨＳＤＰＡの場合  →  ＩＰパケットバッファリング方式
（＊Ｈｉｇｈ  Ｓｐｅｅｄ  Ｄｏｗｎｌｉｎｋ  Ｐａｃｋｅｔ  Ａｃｃｅｓｓ）
▲３▼．無線ＬＡＮの場合  →  ＩＰパケットバッファリング方式
▲４▼．＊ＰＤＣの場合  →  ハードハンドオーバ方式
（＊Ｐｅｒｓｏｎａｌ  Ｄｉｇｉｔａｌ  Ｃｅｌｌｕｌａｒ）
ここで、本実施例における上記各ハンドオーバ方式について説明する。
【００５１】
上記▲１▼のソフトハンドオーバ方式は、ハンドオーバの際、移動前／移動先それぞれのルータに同一パケットを送信する方式をいう。
【００５２】
上記▲２▼、▲３▼のＩＰパケットバッファリング方式は、ハンドオーバの際、一時的にＩＰパケットをバッファリングし、移動端末が移動先ルータに移った時点でバッファリングを終了する方式をいう。
【００５３】
上記▲４▼のハードハンドオーバ方式は、ハンドオーバの際、移動先ルータのルーチングキャッシュテーブルを新しく作成し、移動前のルータのルーチングキャッシュテーブルを削除する方式のことをいう。
【００５４】
本実施例の場合、無線システム種別情報より、移動先無線システムとしてＷＣＤＭＡが選択されているので、ハンドオーバ方式としては、上記▲１▼のソフトハンドオーバ方式が選択される。
【００５５】
次に、ハンドオーバ方式選択部４６は、高速ハンドオーバを行なうか否かを下記の基準に従い選択する。
【００５６】
（高速ハンドオーバの選択基準）
移動端末１０の速度    高速ハンドオーバ方式の選択
高速                    必要
中速                    不要
低速                    不要
ここで、高速ハンドオーバ方式とは、移動端末１０が高速に移動した際に、ハンドオーバが追従できるよう、無線リンクのシグナリング手順（通信を開始する前に、通信相手との間に通信路を設定し、接続を行なう信号手順をいう）を簡略化、あるいはネットワーク側で移動先候補のルータにマルチキャストする方式をいう。
【００５７】
ハンドオーバ方式選択部４６は、移動端末１０からの移動速度情報により、移動端末１０が高速移動していると判断された際には、高速ハンドオーバ方式を選択し、低速あるいは中速で移動していると判断された際には、高速ハンドオーバ方式の選択はなされない。
【００５８】
このように、ハンドオーバ方式選択部４６では、無線システムの種別に応じたハンドオーバ方式の選択と、高速ハンドオーバ方式の要否が判断され、これらの結果（例：ハンドオーバ方式と高速ハンドオーバ方式の要否の組み合わせ）はハンドオーバ方式実行部４７へと通知（Ｓ１４）される。ハンドオーバ方式実行部４７は、通知された上記結果に基づいて移動端末１０にハンドオーバさせるための処理を実行（Ｓ１５）する。具体的には、ハンドオーバ方式実行部４７は、送信側の移動端末７０より送信されたユーザパケットをＲＡ１０３、ＲＢ１０２を経由してＡＰＷＣＤＭＡ２０とこのＡＰＷＣＤＭＡと隣接するアクセスポイント（ここでは、仮にＡＰＷＣＤＭＡ２とする）に転送（Ｓ１６）する。移動端末１０は、両アクセスポイントが形成する無線ゾーンの境界付近に存在するときは、両者から送信されるユーザパケットを受信して復調する。また、上記境界付近に存在しない場合は、移動端末１０はいずれのアクセスポイントが送信するユーザパケットを受信して復調する。なお、ハンドオーバ方式選択部４６において、高速ハンドオーバ方式が要と判断された場合には、さらに、上述したシグナリング手順が省略されてユーザパケットの転送が行われる。
【００５９】
上述したように、本実施形態によれば、ネットワーク側のハンドオーバ方式選択部４６が、移動端末１０から通知される移動先ＡＰの情報、無線システム種別情報、移動速度情報を基に移動端末１０の要求を満たすハンドオーバ方式を選択するので、移動端末１０側でハンドオーバ方式を選択しなくても済むようになる。すなわち、移動端末１０でのハンドオーバ方式の認識が必要でなくなるため、移動末でのハンドオーバ制御の処理量の低減を図ることができる。よって、同種、異種無線システム間のハンドオーバをソフトウェア無線機などによって実現する移動端末１０であっても、装置構成を複雑にすることなく簡易化を図ることができる。
【００６０】
上述した実施例では、ハンドオーバ方式選択部４６と、ハンドオーバ方式実行部４７とが別である例を説明したが、必ずしも別々に設ける必要はなく両者の機能を含む１台のサーバとしても勿論よい。
【００６１】
また、上述した実施例では、ハンドオーバ方式選択部４６は、移動端末１０から通知される無線システム種別情報に基づいてハンドオーバ方式を選択するという場合を示したが、本発明はこれに限定されるものではない。例えば、移動端末１０において、移動前と移動後の無線リンク品質状態をモニタし、そのモニタ結果をネットワーク側のハンドオーバ方式選択部４６に通知し、ハンドオーバ方式選択部４６がこの無線リンク品質状態を基にしてハンドオーバ方式を選択するような形態であってもよい。この場合、移動端末１０は、移動前（本例の場合、無線ＬＡＮシステム）と移動後（本例の場合、ＷＣＤＭＡシステム）のアクセスポイントからの受信入力を利用してＢＥＲ（Ｂｉｔ  ｅｒｒｏｒ  ｒａｔｅ：ビット誤り率）あるいはＳ／Ｎ（信号対雑音比）を計算し、これを無線リンク品質状態としてネットワーク側のハンドオーバ方式選択部４６に通知する。ハンドオーバ方式選択部４６では、以下の基準に従いハンドオーバ方式方式の選択が行なわれる。
【００６２】
移動前／後の無線リンク品質状態              ハンドオーバ方式
良／良                              ハードハンドオーバ方式
良／悪                              ソフトハンドオーバ方式
悪／良                            ＩＰパケットバッファリング方式
悪／悪                              ソフトハンドオーバ方式
例えば、移動前のＢＥＲが良く、移動後のＢＥＲが悪いような場合、移動後であっても所望の受信品質が得られるようハンドオーバ方式としては複数のアクセスポイントからパケットが送信されるソフトハンドオーバ方式が選択される。これにより、移動端末１０での受信品質を落とさずにハンドオーバを実行することができる。
【００６３】
また、上記実施例では、上記ＡＰ−ＡＲ管理データベース４８を、ハンドオーバ方式選択部４６と外部接続されるデータベースサーバを想定したが、このような形態に限定されるものでなく、例えば、上記ＡＰ−ＡＲ管理データベース４８の機能をハンドオーバ方式選択部４６内に含めるような構成であっても勿論かまわない。
【００６４】
さらに、これまで説明してきた上記例では、上記移動端末１０は、各無線システムの通信プロトコルなどを格納したＮＩＣを切換え、あるいは複数枚実装することで、複数の無線システムとの通信を可能とする場合を示したが、本発明は、このような形態に限定されるものではない。例えば、上記ＮＩＣに格納されるソフトウェアを外部に設けられたサーバ等からダウンロードするような形態であってもよい。この場合、その場に適した無線方式のプロトコルが記述されたソフトウェアが移動端末１０に自動的にダウンロードされるため、ユーザは複数のＮＩＣを保持しなくてもよくなり、使い勝手が向上する。また、上記例では、上記移動端末は、ＷＣＤＭＡ方式と無線ＬＡＮ方式の両通信方式に対応したＷＣＤＭＡ／無線ＬＡＮ複合端末を一例として説明したが、２以上の無線システムに対応した複合端末であっても勿論本発明を適用することは可能である。
【００６５】
上記例において、ハンドオーバ方式選択部４６、ハンドオーバ方式実行部４７、ＡＰ−ＡＲ管理データベース４８を含んで構成される装置が請求項記載のハンドオーバ制御装置に対応し、アクセスポイントが請求項記載の無線アクセス局に対応する。
【００６６】
また、移動端末１０のＣＰＵ１５の処理機能が移動先無線システム決定手段、移動速度推定手段に対応し、マルチバンドＲＦ／ＩＦ部１２の無線通信機能が移動先無線システム通知手段、移動速度情報通知手段に対応する。また、ハンドオーバ制御装置のハンドオーバ制御機能がハンドオーバ制御手段に対応し、ハンドオーバ方式選択部４６とＡＰ−ＡＲ管理データベース４７の連携処理機能がルータ跨り判断手段、ハンドオーバ方式決定手段に、ハンドオーバ方式実行部４７の機能がハンドオーバ処理実行手段に対応する。さらに、ハンドオーバ方式選択部４６のハンドオーバ速度判断通知機能が高速ハンドオーバ方式選択手段、高速ハンドオーバ方式選択通知手段に対応する。
【００６７】
【発明の効果】
以上、説明したように、本願発明によれば、ネットワーク側のハンドオーバ制御装置が、移動端末から通知される無線システムの種別情報を基に移動端末の要求を満たすハンドオーバ方式を選択するので、移動端末側でハンドオーバ方式を選択しなくても済むようになり、移動端末側でのハンドオーバ制御処理を低減することができる。これにより、移動端末がソフトウェア無線機のように複数の無線システムとの通信が可能となった場合でも装置の簡素化を図ることが可能である。
【００６８】
【図面の簡単な説明】
【図１】本発明の実施の一形態に係るハンドオーバ制御システムの構成図である。
【図２】図１に示すＩＰネットワークの構成図である。
【図３】図１に示す移動端末の構成図である。
【図４】本実施形態のハンドオーバ制御システムのハンドオーバ動作を説明するための通信状況を説明するための図である。
【図５】本実施形態のハンドオーバ制御システムのハンドオーバ動作を示すシーケンス（その１）図である。
【図６】本実施形態のハンドオーバ制御システムのハンドオーバ動作を示すシーケンス（その２）図である。
【図７】ＡＰ−ＡＲ管理データベースの構造例を示す図である。
【符号の説明】
１０  移動端末
１１  アンテナ
１２  マルチバンドＩ／Ｆ部
１３  ＡＤＣ・ＤＡＣ
１４  信号処理部
１５  ＣＰＵ
１６  外部Ｉ／Ｆ
１７  無線ＬＡＮ用のＮＩＣ
１８  ＷＣＤＭＡ用のＮＩＣ
２０  ＷＣＤＭＡ方式用アクセスポイント（ＡＰＷＣＤＭＡ）
３０  無線ＬＡＮ方式用アクセスポイント（ＡＰＬＡＮ）
４０  ＩＰネットワーク
４１〜４５  アクセスルータ（ＡＲ）
４６  ハンドオーバ方式選択部
４７  ハンドオーバ方式実行部
４８  ＡＰ−ＡＲ管理データベース（ＤＢ）
５０  インターネット
６０  送信側アクセスポイント（ＡＰＴＸ）
７０  送信側移動端末
１００  ハンドオーバ制御システム
１０１  アクセスルータＡ（ＡＲＡ）
１０２  アクセスルータＢ（ＡＲＢ）
１０３  ルータＡ（ＲＡ）
１０４  ルータＢ（ＲＢ）
【図１】
2004260444.tif 000003
【図２】
2004260444.tif 000004
【図３】
2004260444.tif 000005
【図４】
2004260444.tif 000006
【図５】
2004260444.tif 000007
【図６】
2004260444.tif 000008
【図７】
2004260444.tif 000009